(57)【要約】【課題】「Ｉｎｔｅｒ-ｓｉｔｅ  ＣＡ」において、Ｃ-ｐｌａｎｅ信号については、ＳＲＢを介して無線基地局ｅＮＢ＃１配下のセル＃１で通信を行い、Ｕ-ｐｌａｎｅ信号については、ＤＲＢを介して無線基地局ｅＮＢ＃１０配下のセル＃１０で通信を行うという運用が行われる場合であっても、セル＃１０における上りリンクの品質劣化が検出された場合に適切な対応を取る。【解決手段】本発明に係る移動通信システムでは、無線基地局ｅＮＢ＃１０は、移動局ＵＥとの間の上りリンクにおける品質劣化を検出した場合、無線基地局ｅＮＢ＃１に対して、所定通知を行うように構成されている。【選択図】図１
2014068118.tif 000002
【特許請求の範囲】
【請求項１】
移動局が第１無線基地局配下の第１セル及び第２無線基地局配下の第２セルを介してキャリアアグリゲーションを行うことができるように構成されている移動通信システムであって、
前記第１無線基地局は、前記移動局との間で、制御信号及びデータ信号を送受信することができるように構成されており、
前記第２無線基地局は、前記移動局との間で、データ信号を送受信することができ、制御信号を送受信することができないように構成されており、
前記第２無線基地局は、前記移動局との間の上りリンクにおける品質劣化を検出した場合、前記第１無線基地局に対して、所定通知を行うように構成されていることを特徴とする移動通信システム。
【請求項２】
前記第２無線基地局は、前記上りリンクにおける信号の品質が所定閾値を下回った場合に、前記第１無線基地局に対して、前記所定通知を行うように構成されていることを特徴とする請求項１に記載の移動通信システム。
【請求項３】
前記第２無線基地局は、所定回数、ランダムアクセス手順が完了しなかった場合に、前記第１無線基地局に対して、前記所定通知を行うように構成されていることを特徴とする請求項１に記載の移動通信システム。
【請求項４】
前記所定通知は、前記品質劣化が検出されたセルの識別情報を含むことを特徴とする請求項１乃至３のいずれか一項に記載の移動通信システム。
【請求項５】
前記所定通知は、前記品質劣化が検出されたセルが属する前記第２無線基地局の識別情報を含むことを特徴とする請求項１乃至３のいずれか一項に記載の移動通信システム。
【請求項６】
前記第２無線基地局は、前記品質劣化を検出した場合、前記第１無線基地局に対して、前記品質劣化が検出されたベアラについての削除要求又は再設定要求を送信するように構成されていることを特徴とする請求項１に記載の移動通信システム。
【請求項７】
前記第２無線基地局は、前記所定通知に対する送達確認情報を受信できない場合、前記第１無線基地局に対して、前記所定通知の再送を行うように構成されていることを特徴とする請求項１乃至３のいずれか一項に記載の移動通信システム。
【請求項８】
前記第２無線基地局は、前記所定通知に対する送達確認情報を受信できない場合、前記第１無線基地局以外の無線基地局に対して、前記所定通知を行うように構成されていることを特徴とする請求項１乃至３のいずれか一項に記載の移動通信システム。
【請求項９】
移動局が第１無線基地局配下の第１セル及び第２無線基地局配下の第２セルを介してキャリアアグリゲーションを行うことができるように構成されており、該第１無線基地局は、該移動局との間で、制御信号及びデータ信号を送受信することができるように構成されており、該第２無線基地局は、該移動局との間で、データ信号を送受信することができ、制御信号を送受信することができないように構成されている移動通信システムにおいて該第２無線基地局として機能することができる無線基地局であって、
前記移動局との間の上りリンクにおける品質劣化を検出した場合、前記第１無線基地局に対して、所定通知を行うように構成されていることを特徴とする無線基地局。
【発明の詳細な説明】
【技術分野】
【０００１】
本発明は、移動通信システム及び無線基地局に関する。
【背景技術】
【０００２】
ＬＴＥ（Ｌｏｎｇ  Ｔｅｒｍ  Ｅｖｏｌｕｔｉｏｎ）方式のＲｅｌｅａｓｅ-１０において、図５（ａ）に示すように、２０ＭＨｚを超える広帯域通信（例えば、１００Ｈｚの通信）を実現するために、同一の無線基地局ｅＮＢ配下の複数のＣＣ（Ｃｏｍｐｏｎｅｎｔ  Ｃａｒｒｉｅｒ：コンポーネントキャリア）を束ねて通信を行うＣＡ（Ｃａｒｒｉｅｒ  Ａｇｇｒｅｇａｔｉｏｎ：キャリアアグリゲーション）が導入された。
【０００３】
その後、ＬＴＥ方式のＲｅｌｅａｓｅ-１２以降で、「Ｓｍａｌｌ  Ｃｅｌｌ  ｅｎｈａｎｃｅｍｅｎｔ」が提案され、従来よりも更に柔軟なネットワークアーキテクチャの１つとして、異なる無線基地局ｅＮＢ配下のＣＣ（セル）を束ねて通信を行う「Ｉｎｔｅｒ-ｓｉｔｅ  ＣＡ」の導入が検討されている（図５（ｂ）参照）。
【０００４】
例えば、「Ｉｎｔｅｒ-ｓｉｔｅ  ＣＡ」を用いて、図５（ｂ）に示すように、信頼性の必要なＣ-ｐｌａｎｅ信号については、ＳＲＢ（Ｓｉｇｎａｌｉｎｇ  Ｒａｄｉｏ  Ｂｅａｒｅｒ）を介して無線基地局ｅＮＢ＃１（マクロｅＮＢ）配下のセル＃１（マクロセル）で通信を行い、広帯域通信の必要なＵ-ｐｌａｎｅ信号については、ＤＲＢ（Ｄａｔａ  Ｒａｄｉｏ  Ｂｅａｒｅｒ）を介して無線基地局ｅＮＢ＃１０（スモールｅＮＢ）配下のセル＃１０（スモールセル）で通信を行うといった運用も考えられる。
【０００５】
このように、Ｃ-ｐｌａｎｅ信号については、ＳＲＢを介して無線基地局ｅＮＢ＃１配下のセル＃１で通信を行い、Ｕ-ｐｌａｎｅ信号については、ＤＲＢを介して無線基地局ｅＮＢ＃１０配下のセル＃１０で通信を行う場合、図６に示すように、基本的には、無線基地局ｅＮＢ＃１が、移動局ＵＥと無線基地局ｅＮＢ＃１/無線基地局ｅＮＢ＃１０との間の接続性や設定のハンドリングを行うことが想定される。
【０００６】
かかる場合、基本的には、セル＃１（マクロセル）を信頼性の高いＰｃｅｌｌ（Ｐｒｉｍａｒｙ  Ｃｅｌｌ）に設定し、セル＃１０を付随的なＳｃｅｌｌ（Ｓｅｃｏｎｄａｒｙ  Ｃｅｌｌ）として設定することが想定される。
【０００７】
また、基本的には、ＬＴＥ方式では、無線基地局ｅＮＢが、移動局ＵＥとの間の上りリンクにおける品質劣化（上りリンクの同期外れ等）を検出するように構成されている。
【０００８】
かかる場合、一般的に、無線基地局ｅＮＢは、他の移動局ＵＥへの干渉やリソースの利用効率の観点から、品質の劣化したセルに対するスケジューリングを停止すべきである。
【０００９】
仮に、移動局ＵＥとの間の上りリンクにおける品質劣化が検出された場合で、かつ、かかる品質劣化が検出されたセルが「Ｐｃｅｌｌ（Ｐｒｉｍａｒｙ  ｃｅｌｌ）」である場合には、無線基地局ｅＮＢは、ＲＡ（Ｒａｎｄｏｍ  Ａｃｃｅｓｓ）手順を起動し、かかる移動局ＵＥが復帰しなければ、「ＲＲＣ  ｃｏｎｎｅｃｔｉｏｎ  ｒｅｌｅａｓｅ」を送信することによって、かかる移動局ＵＥを「ＲＲＣ_ＩＤＬＥ状態」に遷移させるという運用が行われることが考えられる。
【００１０】
また、移動局ＵＥとの間の上りリンクにおける品質劣化が検出された場合で、かつ、かかる品質劣化が検出されたセルが「Ｓｃｅｌｌ（Ｓｅｃｏｎｄａｒｙ  ｃｅｌｌ）」である場合には、かかる品質劣化が解消されなければ、無線基地局ｅＮＢは、「ＲＲＣ  ｃｏｎｎｅｃｔｉｏｎ  ｒｅｃｏｎｆｉｇｕｒａｔｉｏｎ」を送信することによって、かかるＳｃｅｌｌを削除する、或いは、かかるＳｃｅｌｌを非アクティブ化（Ｄｅａｃｔｉｖａｔｅ）するという運用が行われることが考えられる。
【００１１】
すなわち、移動局ＵＥとの間の上りリンクにおける品質劣化が検出された場合には、無線基地局ｅＮＢは、Ｃ-ｐｌａｎｅ信号を用いて、かかる品質劣化が検出されたセルをハンドリングすることが想定される。
【先行技術文献】
【非特許文献】
【００１２】
【非特許文献１】３ＧＰＰ  ３６.３００
【発明の概要】
【発明が解決しようとする課題】
【００１３】
上述のように、既存のＬＴＥ方式では、図７に示すように、「Ｉｎｔｅｒ-ｓｉｔｅ  ＣＡ」において、Ｃ-ｐｌａｎｅ信号については、ＳＲＢを介して無線基地局ｅＮＢ＃１配下のセル＃１で通信を行い、Ｕ-ｐｌａｎｅ信号については、ＤＲＢを介して無線基地局ｅＮＢ＃１０配下のセル＃１０で通信を行うという運用が行われる場合、無線基地局ｅＮＢ＃１０が、セル＃１０における上りリンクの品質劣化を検出した場合であっても、移動局ＵＥとの間で、Ｃ-ｐｌａｎｅ信号を送受信することができないため、セル＃１０を削除することができず、その結果、移動局ＵＥとの間で、Ｕ-ｐｌａｎｅ信号を送受信することができなくなってしまうという問題点があった。
【００１４】
そこで、本発明は、上述の課題に鑑みてなされたものであり、「Ｉｎｔｅｒ-ｓｉｔｅ  ＣＡ」において、Ｃ-ｐｌａｎｅ信号については、ＳＲＢを介して無線基地局ｅＮＢ＃１配下のセル＃１で通信を行い、Ｕ-ｐｌａｎｅ信号については、ＤＲＢを介して無線基地局ｅＮＢ＃１０配下のセル＃１０で通信を行うという運用が行われる場合であっても、セル＃１０における上りリンクの品質劣化が検出された場合に、適切な対応を取ることができる移動通信システム及び無線基地局を提供することを目的とする。
【課題を解決するための手段】
【００１５】
本発明の第１の特徴は、移動局が第１無線基地局配下の第１セル及び第２無線基地局配下の第２セルを介してキャリアアグリゲーションを行うことができるように構成されている移動通信システムであって、前記第１無線基地局は、前記移動局との間で、制御信号及びデータ信号を送受信することができるように構成されており、前記第２無線基地局は、前記移動局との間で、データ信号を送受信することができ、制御信号を送受信することができないように構成されており、前記第２無線基地局は、前記移動局との間の上りリンクにおける品質劣化を検出した場合、前記第１無線基地局に対して、所定通知を行うように構成されていることを要旨とする。
【００１６】
本発明の第２の特徴は、移動局が第１無線基地局配下の第１セル及び第２無線基地局配下の第２セルを介してキャリアアグリゲーションを行うことができるように構成されており、該第１無線基地局は、該移動局との間で、制御信号及びデータ信号を送受信することができるように構成されており、該第２無線基地局は、該移動局との間で、データ信号を送受信することができ、制御信号を送受信することができないように構成されている移動通信システムにおいて該第２無線基地局として機能することができる無線基地局であって、前記移動局との間の上りリンクにおける品質劣化を検出した場合、前記第１無線基地局に対して、所定通知を行うように構成されていることを要旨する。
【発明の効果】
【００１７】
以上説明したように、本発明によれば、「Ｉｎｔｅｒ-ｓｉｔｅ  ＣＡ」において、Ｃ-ｐｌａｎｅ信号については、ＳＲＢを介して無線基地局ｅＮＢ＃１配下のセル＃１で通信を行い、Ｕ-ｐｌａｎｅ信号については、ＤＲＢを介して無線基地局ｅＮＢ＃１０配下のセル＃１０で通信を行うという運用が行われる場合であっても、セル＃１０における上りリンクの品質劣化が検出された場合に、適切な対応を取ることができる移動通信システム及び無線基地局を提供することができる。
【図面の簡単な説明】
【００１８】
【図１】本発明の第１の実施形態に係る移動通信システムの全体構成図である。
【図２】本発明の第１の実施形態に係る無線基地局ｅＮＢ＃１０の機能ブロック図である。
【図３】本発明の第１の実施形態に係る無線基地局ｅＮＢ＃１の機能ブロック図である。
【図４】本発明の変更例１に係る無線基地局ｅＮＢ＃１０の動作を示すフローチャートである。
【図５】従来技術を説明するための図である。
【図６】従来技術を説明するための図である。
【図７】従来技術を説明するための図である。
【発明を実施するための形態】
【００１９】
（本発明の第１の実施形態に係る移動通信システム）
図１乃至図４を参照して、本発明の第１の実施形態に係る移動通信システムについて説明する。
【００２０】
図１に示すように、本実施形態に係る移動通信システムは、ＬＴＥ方式の移動通信システムであって、「Ｉｎｔｅｒ-ｓｉｔｅ  ＣＡ」を適用することができるように構成されている。
【００２１】
すなわち、本実施形態に係る移動通信システムでは、移動局ＵＥは、無線基地局ｅＮＢ＃１配下のセル＃１及び無線基地局ｅＮＢ＃１０配下のセル＃１０を介して「Ｉｎｔｅｒ-ｓｉｔｅ  ＣＡ」を行うことができるように構成されている。
【００２２】
また、本実施形態に係る移動通信システムは、セル＃１０を管理する無線基地局ｅＮＢ＃１０（スモールｅＮＢ）と、セル＃１を管理する無線基地局ｅＮＢ＃１（マクロｅＮＢ）とを具備している。
【００２３】
ここで、セル＃１０は、スモールセル（ファントムセル）であり、セル＃１は、マクロセルである。なお、セル＃１０のカバレッジエリア及びセル＃１のカバレッジエリアは、少なくとも一部で重なるように配置されている。
【００２４】
無線基地局ｅＮＢ＃１と移動局ＵＥとの間では、Ｃ-ｐｌａｎｅベアラ＃１を介してＣ-ｐｌａｎｅ信号を送受信することができ、Ｕ-ｐｌａｎｅベアラ＃１を介してＵ-ｐｌａｎｅ信号を送受信することができるように構成されている。
【００２５】
無線基地局ｅＮＢ＃１０と移動局ＵＥとの間では、Ｕ-ｐｌａｎｅベアラ＃１０を介してＵ-ｐｌａｎｅ信号を送受信することができ、Ｃ-ｐｌａｎｅ信号を送受信することができないように構成されている。
【００２６】
なお、移動局ＵＥは、Ｃ-ｐｌａｎｅベアラ＃１を介して無線基地局ｅＮＢ＃１から受信したＣ-ｐｌａｎｅ信号に基づいて、無線基地局ｅＮＢ＃１０との間で、Ｕ-ｐｌａｎｅベアラ＃１０を設定するように構成されている。
【００２７】
図２に示すように、本実施形態に係る無線基地局ｅＮＢ＃１０は、検出部１１と、通知部１２とを具備している。
【００２８】
検出部１１は、移動局ＵＥとの間の上りリンク（Ｕ-ｐｌａｎｅベアラ＃１０）における品質劣化を検出するように構成されている。
【００２９】
例えば、検出部１１は、移動局ＵＥとの間の上りリンクにおけるＵ-ｐｌａｎｅ信号の品質が所定閾値を下回った場合に、かかる上りリンクにおける品質劣化を検出するように構成されていてもよい。
【００３０】
例えば、検出部１１は、ＰＵＣＣＨ（Ｐｈｙｓｉｃａｌ  Ｕｐｌｉｎｋ  Ｃｏｎｔｒｏｌ  Ｃｈａｎｎｅｌ）信号やＳＲＳ（Ｓｏｕｎｄｉｎｇ  Ｒｅｆｅｒｅｎｃｅ  Ｓｉｇｎａｌ）の受信電力や受信品質により、上りリンクの品質を判定するように構成されていてもよい。
【００３１】
或いは、検出部１１は、上りリンクにおけるＨＡＲＱ再送の回数がＨＡＲＱ最大再送回数を超過したことや、上りリンクにおけるＨＡＲＱ最大再送回数を超過したＭＡＣ  ＰＤＵの数が閾値を超過したことや、上りリンクにおけるＰＤＣＰ  ＰＤＵ/ＰＤＣＰ  ＳＤＵ/ＲＬＣ  ＰＤＵの破棄数が閾値を超過したことや、上りリンクにおけるＰＤＣＰ  ＰＤＵの秘匿解匿処理の失敗数が閾値を超過したことや、上りリンクにおけるＰＤＣＰ  ＰＤＵのＲＯＨＣ（ヘッダ圧縮）伸張の失敗数等を指標にして、上りリンクにおける品質劣化を検出するように構成されていてもよい。
【００３２】
ここで、検出部１１は、かかる上りリンクにおけるＵ-ｐｌａｎｅ信号の品質が所定閾値を下回るか否かについての判定を行う際に、「Ｔｉｍｅ-ｔｏ-Ｔｒｉｇｇｅｒ」や保護段数という考え方を採用するように構成されていてもよい。
【００３３】
或いは、検出部１１は、移動局ＵＥとの間の上りリンクにおいて、所定回数、ＲＡ手順を起動しても、かかるＲＡ手順が完了しなかった場合に、かかる上りリンクにおける品質劣化を検出するように構成されていてもよい。
【００３４】
例えば、検出部１１は、上述のＲＡ手順において、「ＲＡ  ｐｒｅａｍｂｌｅ」を受信した場合に、かかるＲＡ手順が完了したと判定するように構成されていてもよいし、「ＲＡ  ｒｅｓｐｏｎｓｅ」で指定した「ＵＬ  ｇｒａｎｔ」に対応するＰＵＳＣＨ（Ｐｈｙｓｉｃａｌ  Ｕｐｌｉｎｋ  Ｓｈａｒｅｄ  Ｃｈａｎｎｅｌ）のＣＲＣが「ＯＫ」となった場合に、かかるＲＡ手順が完了したと判定するように構成されていてもよい。
【００３５】
また、検出部１１は、上述の上りリンクにおけるＰＵＣＣＨ（Ｐｈｙｓｉｃａｌ  Ｕｐｌｉｎｋ  Ｃｏｎｔｒｏｌ  Ｃｈａｎｎｅｌ）信号やＳＲＳ（Ｓｏｕｎｄｉｎｇ  Ｒｅｆｅｒｅｎｃｅ  Ｓｉｇｎａｌ）やＰＲＡＣＨ（Ｐｈｙｓｉｃａｌ  Ｒａｎｄｏｍ  Ａｃｃｅｓｓ  Ｃｈａｎｎｅｌ）信号やＰＵＳＣＨ信号等の任意の信号において、上述の品質劣化を検出するように構成されている。
【００３６】
通知部１２は、検出部１１によって移動局ＵＥとの間の上りリンク（Ｕ-ｐｌａｎｅベアラ＃１０）における品質劣化が検出された場合に、無線基地局ｅＮＢ＃１に対して、Ｘ２やＳ１等の任意のインターフェイスを介して、所定通知を行うように構成されている。
【００３７】
例えば、かかる所定通知は、「上りリンクにおける品質劣化が検出されたこと」を直接通知するように構成されていてもよい。
【００３８】
また、かかる所定通知は、上述の品質劣化が検出されたセルの識別情報（ＰＣＩやＣＧＩやＳｃｅｌｌＩｎｄｅｘ等）を通知するように構成されていてもよい。
【００３９】
また、かかる所定通知は、上述の品質劣化が検出されたセルが属する無線基地局ｅＮＢの識別情報を通知するように構成されていてもよい。
【００４０】
或いは、通知部１２は、検出部１１によって移動局ＵＥとの間の上りリンク（Ｕ-ｐｌａｎｅベアラ＃１０）における品質劣化が検出された場合に、無線基地局ｅＮＢ＃１に対して、移動局ＵＥとの間で設定されているＵ-ｐｌａｎｅベアラの識別子及び当該Ｕ-ｐｌａｎｅベアラの削除や再設定の要求を送信するように構成されていてもよい。
【００４１】
かかる要求は、上述の所定通知とは別に送信されるように構成されていてもよいし、上述の所定通知によって送信されるように構成されていてもよい。
【００４２】
かかる要求は、「Ｃａｕｓｅ」として「上りリンクにおける品質劣化が検出されたこと」を通知するように構成されていてもよい。また、かかる要求は、移動局ＵＥの識別情報を一緒に通知するように構成されていてもよい。
【００４３】
なお、通知部１２は、検出部１１によって移動局ＵＥとの間の上りリンク（Ｕ-ｐｌａｎｅベアラ＃１０）における品質劣化が検出された場合に、マクロｅＮＢではなく、Ｃ-ｐｌａｎｅ信号を送受信することができるスモールｅＮＢに対して、所定通知を行うように構成されていてもよい。
【００４４】
さらに、通知部１２は、無線基地局ｅＮＢ＃１に対して所定通知を行った後、無線基地局ｅＮＢ＃１から送達確認情報が受信されない場合には、無線基地局ｅＮＢ＃１に対して所定通知を再送するように構成されていてもよいし、無線基地局ｅＮＢ＃１以外のアンカー無線基地局ｅＮＢに対して所定通知を送信するように構成されていてもよい。
【００４５】
かかる場合、どのアンカー無線基地局ｅＮＢに対して優先的に所定通知を行うかについては、アンカー無線基地局ｅＮＢから予め通知されていてもよい。
【００４６】
図３に示すように、本実施形態に係る無線基地局ｅＮＢ＃１は、受信部２１と、制御部２２とを具備している。
【００４７】
受信部２１は、無線基地局ｅＮＢ＃１０や移動局ＵＥから各種信号を受信するように構成されている。
【００４８】
例えば、受信部２１は、無線基地局ｅＮＢ＃１０や移動局ＵＥから、上述の所定通知や要求を受信するように構成されている。
【００４９】
制御部２２は、上述の所定通知や要求に基づいて、該当するＵ-ｐｌａｎｅベアラの再確立や再設定を行うように構成されている。
【００５０】
以下、図４を参照して、本実施形態に係る移動通信システムの動作について、具体的には、本実施形態に係る無線基地局ｅＮＢ＃１０の動作について説明する。
【００５１】
図４に示すように、無線基地局ｅＮＢ＃１０は、ステップＳ１０１において、移動局ＵＥとの間の上りリンク（Ｕ-ｐｌａｎｅベアラ）において品質劣化が発生しているか否かについて判定する。
【００５２】
「ＹＥＳ」の場合、本動作は、ステップＳ１０２に進み、「ＮＯ」の場合、本動作は、終了する。
【００５３】
ステップＳ１０２において、無線基地局ｅＮＢ＃１０は、無線基地局ｅＮＢ＃１に対して、所定通知を行う。
【００５４】
無線基地局ｅＮＢ＃１は、かかる所定通知に基づいて、該当するＵ-ｐｌａｎｅベアラの再確立や再設定を行う。
【００５５】
本実施形態に係る移動通信システムによれば、無線基地局ｅＮＢ＃１０が、移動局ＵＥとの間の上りリンク（Ｕ-ｐｌａｎｅベアラ）における品質劣化を検出した場合に、無線基地局ｅＮＢ＃１に対して、その旨を通知するように構成されている。
【００５６】
その結果、無線基地局ｅＮＢ＃１は、かかる所定通知に基づいて、該当するＵ-ｐｌａｎｅベアラの再確立や再設定を行うことができるため、「Ｉｎｔｅｒ-ｓｉｔｅ  ＣＡ」において、Ｃ-ｐｌａｎｅ信号については、ＳＲＢを介して無線基地局ｅＮＢ＃１配下のセル＃１で通信を行い、Ｕ-ｐｌａｎｅ信号については、ＤＲＢを介して無線基地局ｅＮＢ＃１１/＃１２配下のセル＃１１/＃１２で通信を行うという運用が行われる場合であっても、無線基地局ｅＮＢ＃１は、上述の品質劣化が検出された場合に適切な対応を取ることができる。
【００５７】
以上に述べた本実施形態の特徴は、以下のように表現されていてもよい。
【００５８】
本実施形態の第１の特徴は、移動局ＵＥが無線基地局ｅＮＢ＃１（第１無線基地局）配下のセル＃１（第１セル）及び無線基地局ｅＮＢ＃１０（第２無線基地局）配下のセル＃１０（第２セル）を介して「Ｉｎｔｅｒ-ｓｉｔｅ  ＣＡ（キャリアアグリゲーション）」を行うことができるように構成されている移動通信システムであって、無線基地局ｅＮＢ＃１は、移動局ＵＥとの間で、Ｃ-ｐｌａｎｅ信号（制御信号）及びＵ-ｐｌａｎｅ信号（データ信号）を送受信することができるように構成されており、無線基地局ｅＮＢ＃１０は、移動局ＵＥとの間で、Ｕ-ｐｌａｎｅ信号を送受信することができ、Ｃ-ｐｌａｎｅ信号を送受信することができないように構成されており、無線基地局ｅＮＢ＃１０は、移動局ＵＥとの間の上りリンクにおける品質劣化を検出した場合、無線基地局ｅＮＢ＃１に対して、所定通知を行うように構成されていることを要旨とする。
【００５９】
本実施形態の第１の特徴において、無線基地局ｅＮＢ＃１０は、上述の上りリンクにおける信号の品質が所定閾値を下回った場合に、無線基地局ｅＮＢ＃１に対して、上述の所定通知を行うように構成されていてもよい。
【００６０】
本実施形態の第１の特徴において、無線基地局ｅＮＢ＃１０は、所定回数、ランダムアクセス手順が完了しなかった場合に、無線基地局ｅＮＢ＃１に対して、上述の所定通知を行うように構成されていてもよい。
【００６１】
本実施形態の第１の特徴において、上述の所定通知は、上述の品質劣化が検出されたセルの識別情報を含むように構成されていてもよい。
【００６２】
本実施形態の第１の特徴において、上述の所定通知は、上述の品質劣化が検出されたセルが属する無線基地局ｅＮＢ＃２の識別情報を含むように構成されていてもよい。
【００６３】
本実施形態の第１の特徴において、無線基地局ｅＮＢ＃１０は、上述の品質劣化を検出した場合、無線基地局ｅＮＢ＃１に対して、上述の品質劣化が検出されたベアラについての削除要求又は再設定要求を送信するように構成されていてもよい。
【００６４】
本実施形態の第１の特徴において、無線基地局ｅＮＢ＃１０は、上述の所定通知に対する送達確認情報を受信できない場合、無線基地局ｅＮＢ＃１に対して、かかる所定通知の再送を行うように構成されていてもよい。
【００６５】
本実施形態の第１の特徴において、無線基地局ｅＮＢ＃１０は、上述の所定通知に対する送達確認情報を受信できない場合、無線基地局ｅＮＢ以外の無線基地局（アンカー無線基地局）ｅＮＢに対して、上述の所定通知を行うように構成されていてもよい。
【００６６】
本実施形態の第２の特徴は、移動局ＵＥが無線基地局ｅＮＢ＃１配下のセル＃１及び無線基地局ｅＮＢ＃１０配下のセル＃１０を介して「Ｉｎｔｅｒ-ｓｉｔｅ  ＣＡ」を行うことができるように構成されており、無線基地局ｅＮＢ＃１は、移動局ＵＥとの間で、Ｃ-ｐｌａｎｅ信号及びＵ-ｐｌａｎｅ信号を送受信することができるように構成されており、無線基地局ｅＮＢ＃１０は、移動局ＵＥとの間で、Ｕ-ｐｌａｎｅ信号を送受信することができ、Ｃ-ｐｌａｎｅ信号を送受信することができないように構成されている移動通信システムにおいて無線基地局ｅＮＢ＃１０として機能することができる無線基地局ｅＮＢであって、移動局ＵＥとの間の上りリンクにおける品質劣化を検出した場合、無線基地局ｅＮＢ＃１に対して、所定通知を行うように構成されていることを要旨とする。
【００６７】
なお、上述の移動局ＵＥや無線基地局ｅＮＢ＃１/＃１０の動作は、ハードウェアによって実施されてもよいし、プロセッサによって実行されるソフトウェアモジュールによって実施されてもよいし、両者の組み合わせによって実施されてもよい。
【００６８】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００６９】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ＃１/＃１０内に設けられていてもよい。また、かかる記憶媒体及びプロセッサは、ディスクリートコンポーネントとして移動局ＵＥや無線基地局ｅＮＢ＃１/＃１０内に設けられていてもよい。
【００７０】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００７１】
ｅＮＢ＃１、ｅＮＢ＃１０…無線基地局
ＵＥ…移動局
１１…検出部
１２…制御部
２１…受信部
２２…制御部
【図１】
2014068118.tif 000003
【図２】
2014068118.tif 000004
【図３】
2014068118.tif 000005
【図４】
2014068118.tif 000006
【図５】
2014068118.tif 000007
【図６】
2014068118.tif 000008
【図７】
2014068118.tif 000009